(57)【要約】      （修正有）【課題】良好な表示を実現することのできる液晶表示装置を容易に製造する。【解決手段】少なくとも、第１及び第２の透明基板、第１及び第２の透明基板間に挟持され、垂直配向する液晶層であって、リタデーションΔｎｄが、１６４ｎｍ≦Δｎｄ≦２７４ｎｍである、液晶層、および、負の二軸光学異方性を有する視角補償板であって、面内方向のリタデーションＲｅが、５０ｎｍ≦Ｒｅ≦６０ｎｍであり、厚み方向のリタデーションＲｔｈが、１１０ｎｍ≦Ｒｔｈ≦１５０ｎｍである、視角補償板、を有する液晶表示素子を備え、液晶層のリタデーションΔｎｄと液晶層以外の厚さ方向のリタデーションの総和Ｒｔｈａｌｌとの比率が、（０．０００２Ｒｅ−０．０１４９）Ｒｔｈ＋（−０．０２７４Ｒｅ＋３．３７６４）≦Δｎｄ／Ｒｔｈａｌｌ≦（０．００００６Ｒｅ−０．００９５）Ｒｔｈ＋（−０．０１８２Ｒｅ＋３．２８６６）である。【選択図】図１
2019144427.tif 000002
【特許請求の範囲】
【請求項１】
液晶表示素子であって、
第１及び第２の透明基板、
前記第１及び第２の透明基板間に挟持され、垂直配向する液晶層であって、リタデーションΔｎｄが、１６４ｎｍ≦Δｎｄ≦２７４ｎｍである、液晶層、
前記第１の透明基板の前記液晶層とは反対側に配置された第１の偏光板、
前記第２の透明基板の前記液晶層とは反対側に、前記第１の偏光板とクロスニコルに配置された第２の偏光板、および、
前記第１の透明基板と前記第１の偏光板との間、または、前記第２の透明基板と前記第２の偏光板との間のどちらか一方に、面内遅相軸が、前記第１、第２の偏光板のうち、近接する偏光板の吸収軸に直交するように配置された、負の二軸光学異方性を有する視角補償板であって、面内方向のリタデーションＲｅが、５０ｎｍ≦Ｒｅ≦６０ｎｍであり、厚み方向のリタデーションＲｔｈが、１１０ｎｍ≦Ｒｔｈ≦１５０ｎｍである、視角補償板、
を有する液晶表示素子と、
前記第２の偏光板の、前記第２の透明基板とは反対側に配置された白色光源と、
を備え、
前記液晶表示素子における、前記液晶層のリタデーションΔｎｄと前記液晶層以外の厚さ方向のリタデーションの総和Ｒｔｈａｌｌとの比率が、（０．０００２Ｒｅ−０．０１４９）Ｒｔｈ＋（−０．０２７４Ｒｅ＋３．３７６４）≦Δｎｄ／Ｒｔｈａｌｌ≦（０．００００６Ｒｅ−０．００９５）Ｒｔｈ＋（−０．０１８２Ｒｅ＋３．２８６６）であり、
前記白色光源で前記液晶表示素子を照明して、前記第１の透明基板の法線方向から観察した際の色度をｘ０、ｙ０とし、前記第２の偏光板の吸収軸と４５°をなす方位において、前記第１の透明基板の法線方向と５０°をなす方向から観察した際の色度をｘ、ｙとするとき、ｘ０−０．０２≦ｘ≦ｘ０＋０．０２、かつ、ｙ０−０．０２≦ｙ≦ｙ０＋０．０２である液晶表示装置。
【請求項２】
液晶表示素子であって、
第１及び第２の透明基板、
前記第１及び第２の透明基板間に挟持され、垂直配向する液晶層であって、リタデーションΔｎｄが、１６４ｎｍ≦Δｎｄ≦２７４ｎｍである、液晶層、
前記第１の透明基板の前記液晶層とは反対側に配置された第１の偏光板、
前記第２の透明基板の前記液晶層とは反対側に、前記第１の偏光板とクロスニコルに配置された第２の偏光板、および、
前記第１の透明基板と前記第１の偏光板との間、または、前記第２の透明基板と前記第２の偏光板との間のどちらか一方に、面内遅相軸が、前記第１、第２の偏光板のうち、近接する偏光板の吸収軸に直交するように配置された、負の二軸光学異方性を有する視角補償板であって、面内方向のリタデーションＲｅが、５０ｎｍ≦Ｒｅ≦６０ｎｍであり、厚み方向のリタデーションＲｔｈが、１１０ｎｍ≦Ｒｔｈ≦１５０ｎｍである、視角補償板、
を有する液晶表示素子と、
前記第２の偏光板の、前記第２の透明基板とは反対側に配置された白色光源と、
を備え、
前記液晶表示素子における、前記液晶層のリタデーションΔｎｄと前記液晶層以外の厚さ方向のリタデーションの総和Ｒｔｈａｌｌとの比率が、（−０．００１Ｒｅ＋０．０５８２）Ｒｔｈ＋（０．１３３２Ｒｅ−６．３９６９）≦Δｎｄ／Ｒｔｈａｌｌ≦（０．０００２Ｒｅ−０．０１４９）Ｒｔｈ＋（−０．０２７４Ｒｅ＋３．３７６４）であり、
前記白色光源で前記液晶表示素子を照明して、前記第１の透明基板の法線方向から観察した際の色度をｘ０、ｙ０とし、前記第２の偏光板の吸収軸と４５°をなす方位において、前記第１の透明基板の法線方向と５０°をなす方向から観察した際の色度をｘ、ｙとするとき、ｘ０＋０．０２＜ｘ≦ｘ０＋０．４１、かつ、ｙ０＋０．０２＜ｙ≦ｙ０＋０．４１である液晶表示装置。
【請求項３】
前記視角補償板は、前記第１または第２の偏光板のどちらか一方と一体化している請求項１または２記載の液晶表示装置。
【発明の詳細な説明】
【技術分野】
【０００１】
本発明は、光学補償板を含む液晶表示装置に関する。
【背景技術】
【０００２】
液晶層内の液晶分子配向を基板に対して垂直または略垂直とする「垂直配向型」液晶表示素子は、電圧無印加時における黒レベルが非常に良好である。また、液晶セルの片面または両面において、液晶セルと偏光板との間に、適切なパラメータを有する負の光学異方性を有する光学補償板を導入することにより、さらに良好な視角特性を得ることができる。
【０００３】
特許文献１には、液晶セルの片面に負の二軸光学異方性を有する光学補償板（以降、負の二軸フィルムと呼ぶ）を導入した、垂直配向型の液晶表示装置が開示されている。特許文献１によれば、負の二軸フィルムの面内方向のリタデーションＲｅを５ｎｍ〜４０ｎｍの範囲内にするなど、所定の条件に設定することにより、色変化・色付きおよび光抜けの少ない、良好な表示を実現する液晶表示装置を得ることができる、としている。
【先行技術文献】
【特許文献】
【０００４】
【特許文献１】特許第５３６４３４３号公報
【発明の概要】
【発明が解決しようとする課題】
【０００５】
現在、５ｎｍ≦Ｒｅ≦４０ｎｍの条件を有する負の二軸フィルムは、一般に流通しておらず、入手しにくい。現在、一般に流通する負の二軸フィルムは、概ね４５ｎｍ≦Ｒｅ≦６５ｎｍの条件を有している。
【０００６】
本発明の主な目的は、良好な表示を実現することのできる液晶表示装置を容易に製造することにある。
【課題を解決するための手段】
【０００７】
本発明の主な観点によれば、液晶表示素子であって、第１及び第２の透明基板、前記第１及び第２の透明基板間に挟持され、垂直配向する液晶層であって、リタデーションΔｎｄが、１６４ｎｍ≦Δｎｄ≦２７４ｎｍである、液晶層、前記第１の透明基板の前記液晶層とは反対側に配置された第１の偏光板、前記第２の透明基板の前記液晶層とは反対側に、前記第１の偏光板とクロスニコルに配置された第２の偏光板、および、前記第１の透明基板と前記第１の偏光板との間、または、前記第２の透明基板と前記第２の偏光板との間のどちらか一方に、面内遅相軸が、前記第１、第２の偏光板のうち、近接する偏光板の吸収軸に直交するように配置された、負の二軸光学異方性を有する視角補償板であって、面内方向のリタデーションＲｅが、５０ｎｍ≦Ｒｅ≦６０ｎｍであり、厚み方向のリタデーションＲｔｈが、１１０ｎｍ≦Ｒｔｈ≦１５０ｎｍである、視角補償板、を有する液晶表示素子と、前記第２の偏光板の、前記第２の透明基板とは反対側に配置された白色光源と、
を備え、前記液晶表示素子における、前記液晶層のリタデーションΔｎｄと前記液晶層以外の厚さ方向のリタデーションの総和Ｒｔｈａｌｌとの比率が、（０．０００２Ｒｅ−０．０１４９）Ｒｔｈ＋（−０．０２７４Ｒｅ＋３．３７６４）≦Δｎｄ／Ｒｔｈａｌｌ≦（０．００００６Ｒｅ−０．００９５）Ｒｔｈ＋（−０．０１８２Ｒｅ＋３．２８６６）であり、前記白色光源で前記液晶表示素子を照明して、前記第１の透明基板の法線方向から観察した際の色度をｘ０、ｙ０とし、前記第２の偏光板の吸収軸と４５°をなす方位において、前記第１の透明基板の法線方向と５０°をなす方向から観察した際の色度をｘ、ｙとするとき、ｘ０−０．０２≦ｘ≦ｘ０＋０．０２、かつ、ｙ０−０．０２≦ｙ≦ｙ０＋０．０２である液晶表示装置、が提供される。
【発明の効果】
【０００８】
良好な表示を実現することのできる液晶表示装置を容易に製造することができる。
【図面の簡単な説明】
【０００９】
【図１】シミュレーション対象とした液晶表示装置ないし実施例による液晶表示装置を示すダイアグラムである。
【図２】負の二軸フィルムの厚み方向リタデーションＲｔｈを１１０ｎｍとし、面内リタデーションＲｅを５０ｎｍ，５５ｎｍ，６０ｎｍとした場合に、所定の方向から観察したときの、液晶層のリタデーションΔｎｄに対する、遮光状態における液晶表示装置の光透過率の変化を示すグラフである。
【図３】負の二軸フィルムの厚み方向リタデーションＲｔｈを１２５ｎｍとし、面内リタデーションＲｅを５０ｎｍ，５５ｎｍ，６０ｎｍとした場合に、所定の方向から観察したときの、液晶層のリタデーションΔｎｄに対する、遮光状態における液晶表示装置の光透過率の変化を示すグラフである。
【図４】負の二軸フィルムの厚み方向リタデーションＲｔｈを１３０ｎｍとし、面内リタデーションＲｅを５０ｎｍ，５５ｎｍ，６０ｎｍとした場合に、所定の方向から観察したときの、液晶層のリタデーションΔｎｄに対する、遮光状態における液晶表示装置の光透過率の変化を示すグラフである。
【図５】負の二軸フィルムの厚み方向リタデーションＲｔｈおよび面内リタデーションＲｅを変化させたときの、許容される色度範囲の上限・下限等に対応する液晶層のリタデーションの限度値Ｒｌｃｄをまとめたテーブルである。
【図６】負の二軸フィルムの面内リタデーションＲｅを変化させたときの、厚さ方向リタデーションＲｔｈに対する、液晶層のリタデーションの限度値Ｒｌｃｄと液晶層以外の構成の厚さ方向リタデーションの総和Ｒｔｈａｌｌとの比率Ｒｌｃｄ／Ｒｔｈａｌｌの変化を示す複数のグラフである。
【図７】実施例による液晶表示装置の視角特性を示す複数のグラフである。
【発明を実施するための形態】
【００１０】
図１に、シミュレーション対象とした液晶表示装置の構造を示す。本願発明者は、以下の構造を有する液晶表示装置について、視角特性に関するシミュレーション解析を行った。液晶表示装置（それを構成するガラス基板）の主面に平行な仮想平面を想定し、当該仮想平面内における任意の方向を基準（０°）とする方位角を設定する。
【００１１】
クロスニコル配置された上側（表側）偏光板（視角補償板付偏光板）１４と下側（裏側）偏光板１５との間に、モノドメイン垂直配向型液晶セル１０が配置される。モノドメイン垂直配向型液晶セル１０は、上側ガラス基板（透明基板）１１、下側ガラス基板（透明基板）１２、及び両基板１１，１２間に挟持されたモノドメイン垂直配向液晶層１３を含んで構成される。上側及び下側ガラス基板１１，１２の液晶層１３側の面には、たとえばＩＴＯ（インジウム錫酸化物）で透明電極が形成されている。
【００１２】
液晶層１３は、複屈折Δｎがたとえば０．０９１４であるネガ型の液晶材料で構成されるものとする。液晶層１３の厚みをｄとすると、液晶層１３のリタデーションはΔｎｄと表すことができる。
【００１３】
また、液晶層１３は、基板面を基準（０°）としたときのプレティルト角が８９．５°に設定されたアンチパラレル配向構造を想定する。プレティルト角の方位は、液晶層１３の厚さ方向の中央で上側及び下側偏光板１４，１５の吸収軸となす角度が４５°である方位（図示の方位座標系において１８０°方位）とした。
【００１４】
上側偏光板（視角補償板付偏光板）１４は、偏光層１４ａと負の二軸フィルム１４ｂを含んで構成される。偏光層１４ａの吸収軸は１３５°方位とした。負の二軸フィルム１４ｂは、ノルボルネン系環状オレフィンフィルムで形成し、その面内遅相軸方位は、最近傍の偏光層（偏光層１４ａ）の吸収軸に直交するように、４５°方位とした。なお、現状、一般に流通している負の二軸フィルムの厚さ方向リタデーションＲｔｈは１１０ｎｍ〜１５０ｎｍ程度であり、面内リタデーションＲｅは５０ｎｍ〜６０ｎｍ程度である。
【００１５】
下側偏光板１５は、偏光層１５ａとＴＡＣ（トリアセチルセルロース）フィルム１５ｂを含んで構成される。偏光層１５ａの吸収軸は４５°方位である。下側偏光板１５のＴＡＣフィルム１５ｂは、厚さ方向のリタデーションを約５０ｎｍ、面内リタデーションを約３ｎｍとし、面内遅相軸は偏光層１５ａの吸収軸に平行（４５°方位）に配置されるとした。ＴＡＣフィルム１５ｂは、Ｃプレートとして機能することが知られている。
【００１６】
なお、上側偏光板（視角補償板付偏光板）１４はＴＡＣフィルムを備えない。また、上側及び下側偏光板１４、１５の偏光層１４ａ、１５ａは、（株）ポラテクノ製ＳＫＮ１８２４３Ｔを想定した。
【００１７】
液晶セル１０および偏光板１４，１５を含む構成を液晶表示素子と呼ぶこととする。液晶表示装置は、液晶表示素子と光源とを含む構成である。下側偏光板１５の下部に配置されるバックライト２０の光源として、標準光源Ｃ（白色光源）を用いる。
【００１８】
本願発明者は、このような液晶表示装置において、負の二軸フィルム１４ｂの厚さ方向リタデーションＲｔｈおよび面内リタデーションＲｅ、ならびに、液晶層１３のリタデーションΔｎｄを変化させたときの、電圧無印加時（暗状態，遮光状態）における液晶表示装置の光透過率に関してシミュレーション解析を行った。シミュレーションには、（株）シンテック製の液晶表示器シミュレータＬＣＤ ＭＡＳＴＥＲ８を使用した。
【００１９】
図２〜図４は、負の二軸フィルムのＲｔｈ（１１０ｎｍ，１２５ｎｍ，１３０ｎｍ）各々において、Ｒｅ（５０ｎｍ，５５ｎｍ，６０ｎｍ）を変化させたときの、遮光状態（電圧無印加時）における光透過率のΔｎｄ依存性を示すグラフである。グラフの横軸は、液晶層１３のリタデーションΔｎｄを単位「ｎｍ」で示し、縦軸は、２７０°方位，極角５０°方向から観察した時の光透過率を単位「％」で示す。
【００２０】
負の二軸フィルムのパラメータが異なる液晶表示素子各々について、正面方向（主面の法線方向）から観察したときの色味（色度）を、ｘｙ色度図における座標（ｘ０，ｙ０）で表す。遮光状態において２７０°方位，極角５０°方向から観察したときの色度座標（ｘ，ｙ）が、ｘ０−０．０２≦ｘ≦ｘ０＋０．４１、かつ、ｙ０−０．０２≦ｙ≦ｙ０＋０．４１、である場合には、色度変化が少ない（視角特性が良好である）ものと見なす。より具体的には、ｘ０−０．０２≦ｘ≦ｘ０＋０．０２、かつ、ｙ０−０．０２≦ｙ≦ｙ０＋０．０２、である場合には、色度変化が極めて少ないものと見なし、ｘ０＋０．０２≦ｘ≦ｘ０＋０．４１、かつ、ｙ０＋０．０２≦ｙ≦ｙ０＋０．４１、である場合には、色度変化が十分に少ないものと見なす。
【００２１】
図２〜図４に示すグラフ内において、実線で示す曲線部分は、色度変化が極めて小さい範囲（ｘ０−０．０２≦ｘ≦ｘ０＋０．０２、かつ、ｙ０−０．０２≦ｙ≦ｙ０＋０．０２、の範囲）に対応する。すなわち、正面方向からの観察と比較して色変化・色付きが認識されず、比較的ニュートラルな光抜け状態（つまり白色光）が得られる範囲に対応する。
【００２２】
また、図２〜図４に示すグラフ内において、破線で示す曲線部分（実際には、実線の一端部から破線の一端部までの範囲）は、色度変化が十分に小さい範囲（ｘ０＋０．０２≦ｘ≦ｘ０＋０．４１、かつ、ｙ０＋０．０２≦ｙ≦ｙ０＋０．４１、の範囲）に対応する。すなわち、正面方向からの観察と比較してわずかにブラウンに色変化する範囲に対応する。
【００２３】
図２〜図４に示すグラフから、負の二軸フィルムの厚さ方向リタデーションＲｔｈ（１１０ｎｍ，１２５ｎｍ，１３０ｎｍ）および面内リタデーションＲｅ（５０ｎｍ，５５ｎｍ，６０ｎｍ）のいずれの組み合わせであっても、十分に低い光透過率を実現していることがわかる。つまり、遮光状態において２７０°方位，極角５０°方向から観察した場合の光抜けが、十分に抑制されることがわかる。また、液晶層のリタデーションΔｎｄの広い範囲で、正面方向から観察した際の色味と、２７０°方位，極角５０°方向から観察した際の色味と、の差異が小さいことがわかる。
【００２４】
図５に、正面方向からの観察と比較して、２７０°方位の極角５０°方向から観察した際の色度変化が少ない（ｘ０−０．０２≦ｘ≦ｘ０＋０．４１となり、かつ、ｙ０−０．０２≦ｙ≦ｙ０＋０．４１となる）Δｎｄの範囲をまとめる。負の二軸フィルムの厚さ方向リタデーションＲｔｈ（１１０ｎｍ，１２５ｎｍ，１３０ｎｍ）および面内リタデーションＲｅ（５０ｎｍ，５５ｎｍ，６０ｎｍ）の各組合せにおいて、許容される色度範囲の限度値（閾値）となるΔｎｄを、Ｒｌｃｄ１，Ｒｌｃｄ２，Ｒｌｃｄ３と表す。
【００２５】
すなわち、色度変化が極めて小さい（ｘ０−０．０２≦ｘ≦ｘ０＋０．０２となり、かつ、ｙ０−０．０２≦ｙ≦ｙ０＋０．０２となる）Δｎｄの範囲は、Ｒｌｃｄ２≦Δｎｄ≦Ｒｌｃｄ１となり、色度変化が十分に小さい（ｘ０＋０．０２＜ｘ≦ｘ０＋０．４１となり、かつ、ｙ０＋０．０２＜ｙ≦ｙ０＋０．４１となる）Δｎｄの範囲は、Ｒｌｃｄ３≦Δｎｄ＜Ｒｌｃｄ２となる。なお、許容される色度範囲に対応するΔｎｄは、Ｒｌｃｄ３≦Δｎｄ≦Ｒｌｃｄ１の範囲となる。
【００２６】
図６は、負の二軸フィルムのＲｅを変化させたときの、Ｒｌｃｄ１〜３／Ｒｔｈａｌｌ各々のＲｔｈ依存性を示すグラフである。Ｒｔｈａｌｌは、液晶層以外の、偏光板および視角補償板の厚さ方向位相差の総和を表す。
【００２７】
Ｒｌｃｄ１〜３／Ｒｔｈａｌｌ各々のグラフにおいて、面内リタデーションＲｅ（５０ｎｍ，５５ｎｍ，６０ｎｍ）ごとに、最小二乗法による線形フィッティングを行い、Ｒｌｃｄ１〜３／Ｒｔｈａｌｌ＝ａ×Ｒｔｈ＋ｂの形式となる最適なパラメータａ，ｂ（ａ：線形関数の傾き、ｂ：線形関数の切片）を見出す。さらに、パラメータａ，ｂを面内リタデーションＲｅの関数とみなして最小二乗法による線形フィッティングを行い、ａ＝ｋ×Ｒｅ＋ｌおよびｂ＝ｍ×Ｒｅ＋ｎの形式となる最適なパラメータｋ，ｌ，ｍ，ｎを見出す。
【００２８】
その結果、色変化が極めて小さい（ｘ０−０．０２≦ｘ≦ｘ０＋０．０２となり、かつ、ｙ０−０．０２≦ｙ≦ｙ０＋０．０２となる）Δｎｄ／Ｒｔｈａｌｌの範囲は、
Ｒｌｃｄ２／Ｒｔｈａｌｌ≦Δｎｄ／Ｒｔｈａｌｌ≦Ｒｌｃｄ１／Ｒｔｈａｌｌ、
であり、すなわち、
（０．０００２Ｒｅ−０．０１４９）Ｒｔｈ＋（−０．０２７４Ｒｅ＋３．３７６４）≦Δｎｄ／Ｒｔｈａｌｌ≦（０．００００６Ｒｅ−０．００９５）Ｒｔｈ＋（−０．０１８２Ｒｅ＋３．２８６６）、
となる。
【００２９】
また、色変化が十分に小さい（ｘ０＋０．０２≦ｘ≦ｘ０＋０．４１となり、かつ、ｙ０＋０．０２≦ｙ≦ｙ０＋０．４１となる）Δｎｄ／Ｒｔｈａｌｌの範囲は、
Ｒｌｃｄ３／Ｒｔｈａｌｌ≦Δｎｄ／Ｒｔｈａｌｌ＜Ｒｌｃｄ２／Ｒｔｈａｌｌ、
であり、すなわち、
（−０．００１Ｒｅ＋０．０５８２）Ｒｔｈ＋（０．１３３２Ｒｅ−６．３９６９）≦Δｎｄ／Ｒｔｈａｌｌ≦（０．０００２Ｒｅ−０．０１４９）Ｒｔｈ＋（−０．０２７４Ｒｅ＋３．３７６４）、
となる。
【００３０】
なお、負の二軸フィルムは、一般に流通しているもの、つまり、厚さ方向リタデーションＲｔｈが１１０ｎｍ≦Ｒｔｈ≦１５０ｎｍの範囲であり、かつ、面内リタデーションＲｅが５０ｎｍ≦Ｒｅ≦６０ｎｍの範囲であるものを用いることができる。なお、液晶層のリタデーションΔｎｄは、１６４ｎｍ≦Δｎｄ≦２７４ｎｍの範囲内で有効である。このような条件にすれば、一般に流通している、入手しやすい負の二軸フィルムを用いることができ、容易に、視角特性が良好な液晶表示素子を製造することができる。
【００３１】
本発明者は、以上のシミュレーション結果を踏まえて、実際に、実施例による液晶表示装置を製造し、大塚電子製の評価装置ＬＣＤ５２００により、当該液晶表示装置の視角特性を評価した。液晶表示装置の光源は、標準光源Ｃとした。
【００３２】
図１を参照しながら、実施例による液晶表示装置の構成を説明する。一方の偏光板１４（偏光板１４ａに負の二軸フィルム１４ｂが接着したもの）にはポラテクノ製ＳＨＣ１３ＣＬ２Ｓを用い、他方の偏光板１５にはポラテクノ製ＳＨＣ１３Ｕを用いた。負の二軸フィルム１４ｂの厚さ方向リタデーションＲｔｈは１２０ｎｍであり、面内リタデーションＲｅは５５ｎｍである。
【００３３】
このような負の二軸フィルムを用いた場合（Ｒｔｈ＝１２０ｎｍ，Ｒｅ＝５５ｎｍ）、上述のシミュレーション結果により、液晶層のリタデーションΔｎｄは、２２３．２２ｎｍ≦Δｎｄ≦２６２．０７ｎｍの範囲内であることが好ましい。実施例において、液晶層１３のリタデーションΔｎｄは、２４７ｎｍとした。液晶層１３には、複屈折Δｎが０．０８２３である垂直配向型の液晶材料を用い、厚みｄは約３μｍとした。また、プレティルト角は、８９．５°とした。
【００３４】
図７の上段に示すグラフは、左右方向（９０°―２７０°方位、９０°方位がマイナス側、２７０°方位がプラス側）において観察角度（極角）に対する、遮光状態における液晶表示装置の光透過率の変化を示すグラフである。グラフの横軸は、左右方向の観察角度（極角）を単位「°（ｄｅｇ）」で示し、縦軸は、遮光状態における液晶表示装置の光透過率を単位「％」で示す。たとえば観察角度が±５０°であるとき、液晶表示装置の光透過率は０．４％以下となっており、実施例による液晶表示装置は、光抜けが十分に小さい。
【００３５】
図７の下段に示すグラフは、遮光状態において液晶表示装置から出射される光の分光スペクトルである。グラフの横軸は、出射光の波長を単位「ｎｍ」で示し、縦軸は、遮光状態における液晶表示装置の光透過率を単位「％」で示す。なお、グラフ中には、正面方向から観察された分光スペクトル、９０°方位，極角５０°から観察された分光スペクトル、および、２７０°方位，極角５０°から観察された分光スペクトルが示されている。
【００３６】
正面方向から観察した場合、液晶表示装置からの出射光に波長の顕著な偏りはなく、ニュートラル色（白色光）が得られている。また、９０°方位および２７０°方位（極角５０°）から観察した場合、可視光領域全域で光抜けは相対的に大きくなるものの、良好なニュートラル色が得られている。液晶層のリタデーションΔｎｄ（２４７ｎｍ）を、２２３．２２ｎｍ≦Δｎｄ≦２６２．０７ｎｍの範囲内に設定したことにより、良好な表示が実現できることが確認された。
【００３７】
以上、実施例に沿って本願を説明したが、これらは制限的なものではない。例えば材料、数値などは例示であって、これらに限るものではない。その他種々の変形、置換、改良等が可能なことは当業者に自明であろう。
【符号の説明】
【００３８】
１０  モノドメイン垂直配向型液晶セル、
１１  上側ガラス基板、
１２  下側ガラス基板、
１３  液晶層、
１４  上側偏光板（視角補償板付偏光板）、
１４ａ  偏光層、
１４ｂ  負の二軸フィルム、
１５  下側偏光板、
１５ａ  偏光層、
１５ｂ  ＴＡＣフィルム、
２０  バックライト。
【図１】
2019144427.tif 000003
【図２】
2019144427.tif 000004
【図３】
2019144427.tif 000005
【図４】
2019144427.tif 000006
【図５】
2019144427.tif 000007
【図６】
2019144427.tif 000008
【図７】
2019144427.tif 000009